(57)【要約】【課題】鏡上端面から突出する出っ張り部分を没入させるアッパーキャビネットの切欠き部を目立たなくし且つ切欠き部への埃の侵入をなくした構造。【解決手段】取付けた鏡１と、鏡１の上方に配置したアッパーキャビネット４とを備え、鏡上端面１ｂとアッパーキャビネット４の底面４ｂを接近させると共に、アッパーキャビネット４の底面奥側に、鏡上端面１ｂから突出する出っ張り部分８が没入する切欠き部４ａを、出っ張り部分８の幅寸法（Ａ２，Ａ３）より大きな幅寸法Ａ４で形成し、切欠き部４ａに、出っ張り部分８の押圧で変形して出っ張り部分８を没入させる充填材９が充填され、充填材９の底面９ａとアッパーキャビネット４の底面４ｂとを面一にしたこと。【選択図】図１
2005052271.tif 000002
【特許請求の範囲】
【請求項１】
取付けた鏡と、鏡の上方に配置したアッパーキャビネットとを備え、鏡上端面とアッパーキャビネットの底面を接近させると共に、アッパーキャビネットの底面奥側に、鏡上端面から突出する出っ張り部分が没入する切欠き部を、該出っ張り部分の幅寸法より大きな幅寸法で形成した、鏡とアッパーキャビネットを併設した構造において、前記切欠き部に、前記出っ張り部分の押圧で変形して出っ張り部分を没入させる充填材が充填され、該充填材の底面と前記アッパーキャビネットの底面とを面一にしたことを特徴とする鏡とアッパーキャビネットを併設した構造。
【請求項２】
前記鏡の上縁部を跨ぐ取付け具と、前記鏡の表面側上方に該取付け具を用いて配置すると共にその幅寸法を鏡幅寸法より短くした照明器具とを備え、前記出っ張り部分が、該照明器具から前記鏡の上縁部を跨いで鏡の背面側へ延びる電気コードの跨ぎ部分である請求項１記載の鏡とアッパーキャビネットを併設した構造。
【請求項３】
前記鏡の上縁部を跨ぐ取付け具と、前記鏡の表面側上方に該取付け具を用いて配置すると共にその幅寸法を鏡幅寸法より短くした照明器具とを備え、前記出っ張り部分が、該取付け具の跨ぎ部分である請求項１記載の鏡とアッパーキャビネットを併設した構造。
【請求項４】
前記充填材が、上層の発泡樹脂層と、該発泡樹脂層の底面を覆う下層のシートとを備えた請求項１，２又は３記載の鏡とアッパーキャビネットを併設した構造。
【発明の詳細な説明】
【技術分野】
【０００１】
本発明は、鏡の上端面とアッパーキャビネットの底面を接近させて、鏡とアッパーキャビネットを併設した構造の改良に関するものである。
【背景技術】
【０００２】
洗面所等に配置する鏡には、アッパーキャビネット及び照明器具を併設したものがある（例えば、非特許文献１参照）。                                                        
【非特許文献１】「住宅設備機器  ２００３−２００４／総合カタログ」、株式会社ＩＮＡＸ、２００３年３月、ｐ．３４３
【０００３】
従来、鏡とアッパーキャビネットを併設する構造は、図５及び図６に示す如く、壁面Ｗに取付けた取付け具２を用いて照明器具３を配置すると共に、鏡１の上端面１ｂと、壁面Ｗに取付けたアッパーキャビネット４の底面４ｂとを接近させたものである。取付け具２は、鏡上縁部分１ａを跨ぐものであって、背面側部分２ａを壁面Ｗにビス５で連結すると共に、表面側部分２ｂに照明器具３を連結してある。照明器具４から伸びる配線コード６は、鏡上縁部１ａを跨いで、壁面Ｗと鏡１の間の隙間へ導かれる。アッパーキャビネット４は、その底面奥側に切欠き部４ａを形成し、切欠き部４ａに配線コード６の跨ぎ部分６ａ及び／又は取付け具２の跨ぎ部分２ｃを没入してある。
【０００４】
前記照明器具３は、その幅寸法Ａ３が鏡１の幅寸法Ａ１より短くなっており、鏡１の左右二等分位置に照明器具中央部を一致させて配置するのが一般であるが、鏡１の一方の脇にトールキャビネット７等を配置する場合には、照明器具３をトールキャビネット７側へ寄せることがある。そのために、アッパーキャビネット４は、切欠き部４ａの左右幅寸法Ａ４を取付け具２の幅寸法Ａ２や照明器具３の幅寸法Ａ３より大きくして、照明器具３を左右いずれか一方へ寄せることができるようにしてある。
【０００５】
しかし、アッパーキャビネット４の切欠き部４ａの左右幅寸法Ａ４を照明器具３の幅寸法Ａ３より大きくすることは、鏡の正面側に立って使用する際に、空洞の切欠き部４ａが視野に入り見栄えを悪くする問題がある。また、空洞となっている切欠き部４ａは、埃が貯まるので非衛生となる問題もある。
【発明の開示】
【発明が解決しようとする課題】
【０００６】
本発明は、上記問題を解決するために、鏡上端面から突出する出っ張り部分を没入させるアッパーキャビネットの切欠き部を目立たなくし且つ切欠き部への埃の侵入をなくした構造を提供するものである。
【課題を解決するための手段】
【０００７】
請求項１記載の本発明が採用した手段は、取付けた鏡と、鏡の上方に配置したアッパーキャビネットとを備え、鏡上端面とアッパーキャビネットの底面を接近させると共に、アッパーキャビネットの底面奥側に、鏡上端面から突出する出っ張り部分が没入する切欠き部を、該出っ張り部分の幅寸法より大きな幅寸法で形成した、鏡とアッパーキャビネットを併設した構造において、前記切欠き部に、前記出っ張り部分の押圧で変形して出っ張り部分を没入させる充填材が充填され、該充填材の底面と前記アッパーキャビネットの底面とを面一にしたことを特徴とする鏡とアッパーキャビネットを併設した構造である。
本発明にあっては、鏡上端面から突出する出っ張り部分の位置が変更されても、出っ張り部分が、充填材を部分的に変形して切欠き部に没入し、また、出っ張り部分で押圧されない充填材の底面が、アッパーキャビネットの底面と面一となる。
【０００８】
請求項２記載の本発明が採用した手段は、前記鏡の上縁部分を跨ぐ取付け具と、前記鏡の表面側上方に該取付け具を用いて配置すると共にその幅寸法を鏡幅寸法より短くした照明器具とを備え、前記出っ張り部分が、該照明器具から前記鏡の上縁部分を跨いで鏡の背面側へ延びる電気コードの跨ぎ部分である請求項１記載の鏡とアッパーキャビネットを併設した構造である。
本発明にあっては、鏡の上縁部分を跨ぐ電気コードの跨ぎ部分は、充填材を部分的に変形して切欠き部に没入する。
【０００９】
請求項３記載の本発明が採用した手段は、前記鏡の上縁部分を跨ぐ取付け具と、前記鏡の表面側上方に該取付け具を用いて配置すると共にその幅寸法を鏡幅寸法より短くした照明器具とを備え、前記出っ張り部分が、該取付け具の跨ぎ部分である請求項１記載の鏡とアッパーキャビネットを併設した構造である。
本発明にあっては、鏡の上縁部分を跨ぐ取付け具の跨ぎ部分は、充填材を部分的に変形して切欠き部に没入する。
【００１０】
請求項４記載の本発明が採用した手段は、前記充填材が、上層の発泡樹脂層と、該発泡樹脂層の底面を覆う下層のシートとを備えた請求項１，２又は３記載の鏡とアッパーキャビネットを併設した構造である。
本発明にあっては、発泡樹脂層の層内に塵が侵入するのをシートで阻止できる。
【発明の効果】
【００１１】
請求項１記載の本発明は、出っ張り部分で押圧されない充填材の底面が露出しても、充填材の底面とアッパーキャビネットの底面が面一となるために、使用者に切欠き部の存在を気付かせることもなく、また、充填材により切欠き部への埃の侵入もない。
【００１２】
請求項２記載の本発明は、鏡上端面から電気コードが出っ張っていても、充填材を部分的に変形して切欠き部に収めることができる。
【００１３】
請求項３記載の本発明が採用した手段は、鏡上端面から取付け具が出っ張っていても、充填材を部分的に変形して切欠き部に収めることができる。
【００１４】
請求項４記載の本発明は、発泡樹脂層が汚れることもなく、汚れたシートを拭き取る等して簡単に綺麗にすることができる。
【発明を実施するための最良の形態】
【００１５】
本発明に係る鏡とアッパーキャビネットを併設した構造（以下、「本発明構造」と言う。）を図１乃至図４の図面に示す実施の形態に基づいて説明する。図１は一部切欠いた正面図、図２は右側断面図、図３は鏡とアッパーキャビネットとを分離した状態を示す右側断面図、図４は別態様を示す正面図である。
【００１６】
本発明構造は、図１乃至図３に示す如く、取付けた鏡１と、鏡１の上方に配置したアッパーキャビネット４とを備え、鏡上端面１ｂとアッパーキャビネット４の底面４ｂを接近させると共に、アッパーキャビネット４の底面４ａの奥側に、鏡上端面１ｂから突出する出っ張り部分８が没入する切欠き部４ａを、出っ張り部分８の幅寸法（Ａ２，Ａ３）より大きな幅寸法Ａ４で形成したものであり、図５及び図６に示す従来の構造と実質的に同一である。本発明構造の改良点は、前記切欠き部４ａに充填材９を充填して、充填材９の底面９ａとアッパーキャビネット４の底面４ｂを実質的に面一にし、出っ張り部分８の押圧で変形した充填材９の部分に出っ張り部分８を没入させるようにしたことである。充填材９は、アッパーキャビネット４に貼着して、切欠き部４ａから脱落しないようにしてある。充填材９の変形の態様としては、弾性変形または塑性変形がある。
【００１７】
本発明構造は、トールキャビネット７の有無等でレイアウトが異なるために、照明器具３の出っ張り部分８の位置が幅方向で変更しても、出っ張り部分８が充填材９を部分的に変形して切欠き部４ａ内に没入するので、鏡１とアッパーキャビネット４の接近を妨げることもなく、また、出っ張り部分８で押圧されない充填材９の底面９ａがアッパーキャビネット４の底面４ｂと面一となるので、使用者に切欠き部４ａの存在を気付かせることもなく、更に、充填材９により切欠き部４ａへの埃の侵入もない。
【００１８】
壁面Ｗに照明器具３を取り付けるための取付け具２は、鏡上縁部１ａを跨ぐものであって、壁面Ｗに背面側部分２ａをビス５で連結すると共に、表面側部分２ｂに照明器具３を連結してある。取付け具２は、背面側部分２ａに設けたビス５用の挿通孔２ｄを、縦方向に長い長孔としてあり、施工の便宜を図っている。すなわち、壁面Ｗに取付け具２をビス５止めした後に、壁面Ｗに鏡１を取り付ける際に、取付け具２の全体を上方へ移動させることで、鏡１を取り付け易くしてある。照明器具４から伸びる配線コード６は、鏡上縁部１ａを跨いで、壁面Ｗと鏡１の間の隙間へ導かれ、適所に設けた制御回路（図示略）に結線されている。
【００１９】
前記鏡上端面１ｂから突出する出っ張り部分８としては、鏡上縁部１ａを跨ぐ取付け具２の跨ぎ部分２ｃや、鏡上縁部１ａを跨ぐ配線コード６の跨ぎ部分６ａが該当する。なお、跨ぎ部分２ｃ及び跨ぎ部分６ａの一方が、前記鏡上端面１ｂから突出する寸法が短くてアッパーキャビネット４の底面４ｂに達しないときには、他方のみが出っ張り部分８となる。また、図４に示す如く、鏡１とアッパーキャビネット４を極端に接近させたときには、鏡１を取り付けるために鏡上縁部分１ａを跨ぐ取付け具１２，１２の各跨ぎ部分１２ａが、出っ張り部分８に包含されることになり、充填材９を部分的に変形して切欠き部４ａ内に没入する。
【００２０】
前記切欠き部４ａに充填する充填材９は、弾性変形するものを選択するときには、発泡ポリウレタン等の発泡した軟質の合成樹脂または軟質ゴム等の素材で成形し、出っ張り部分８で押圧されたとき、容易に弾性変形して出っ張り部分８が没入するようになっている。充填材９は、発泡ポリエチレン等の発泡樹脂層からなる上層１３と、上層１３の底面を覆う軟質塩化ビニール等の軟質樹脂等で形成した化粧用シートからなる下層１４で形成することもある。充填材９は、露出する底面を緻密なシートからなる下層１４で形成することにより、発泡樹脂層からなる上層１３が汚れることもなく、汚れた下層１４を拭き取る等して簡単に綺麗にすることができる。また、充填材９は、塑性変形するものを選択するとき、上層１３を油性粘土等で形成し、下層１４を軟質塩化ビニール等の軟質樹脂等で形成した化粧用シートで形成する。
【図面の簡単な説明】
【００２１】
【図１】本発明構造の実施の態様を示すものであり、一部切欠いた正面図である。
【図２】同実施の形態を示す右側断面図である。
【図３】同実施の形態を示すものであり、鏡とアッパーキャビネットとを分離した状態を示す右側断面図である。
【図４】本発明構造の実施の態様の別態様を示す正面図である。
【図５】従来の構造を示す一部切欠いた正面図である。
【図６】従来の構造を示す右側断面図である。
【符号の説明】
【００２２】
１…鏡
２…取付け具
２ｃ…跨ぎ部分
３…照明器具
４…アッパーキャビネット
６…配線コード
６ａ…跨ぎ部分
８…出っ張り部分
９…充填材
【図１】
2005052271.tif 000003
【図２】
2005052271.tif 000004
【図３】
2005052271.tif 000005
【図４】
2005052271.tif 000006
【図５】
2005052271.tif 000007
【図６】
2005052271.tif 000008